(57)【特許請求の範囲】
【請求項１】
含有水量が比較的多い軟練りの生コンクリートが現場に打ち込まれた後、該生コンクリートが十分に硬化する前に、該生コンクリートに埋設されるコンクリートピースを、適量の水とセメント及び骨材等を乾燥時における本体強度が５００ｇｆ・ｃｍ２以上となる混合比率で混練し、適宜の形状に成形して十分に乾燥硬化させて形成したことを特徴とするコンクリートピース。
【請求項２】
前記コンクリートピースの形状は、円柱状部分と楔状部分とから形成されていることを特徴とする請求項１に記載のコンクリートピース。
【発明の詳細な説明】
【０００１】
【発明の属する技術分野】
この発明は、打ち込まれた生コンクリート中の余分な水分を吸収し、かつ、コンクリート中の空隙を減少させることができるコンクリートまたはセメントからなるピース（以下、コンクリートピースという。）及びこれを利用したコンクリート施工法に関する。
【０００２】
【従来技術とその課題】
現在、我国においてはポンプ工法（生コンクリートをポンプの圧力で打ち込み場所まで圧送する工法）が広く普及しており、多くの作業現場でこの工法が採用されている。一般に、ポンプ工法では生コンクリートを圧送する関係上、比較的水量の多い軟練りの生コンクリートが使用されている。
【０００３】
そして、上記生コンクリートにはセメント、水、骨材（砂、砂利）等の材料が含まれるが、コンクリートの流動性を高めるために水の含有量が多く（スランプが大きい）、このような生コンクリートを打込んだ場合には、余分な水及び打込み中に巻き込まれた空気の気泡等がコンクリート中に混在して硬化することになるため、コンクリートの十分な強度や耐久性、水密性等の性能を得にくい。
【０００４】
コンクリートは打ち込みの後、型枠内のすみずみまで充填され、かつ、コンクリートが密実になるよう充分締め固めなければならないが、比較的水量の多い軟練りの生コンクリートを打ち込んだ場合には、分離によって軽い部分が上昇し、上部ほど単位水量が増え、骨材等の重い材料は沈降し、軽い部分、即ち、水及び打込中に巻き込まれた空気の気泡等は上昇してブリージング現象が発生する。ブリージングの多いコンクリートは沈下量も大きく、また、上昇した水及び気泡の比率がコンクリート中に多く混在して硬化した場合には、コンクリート中にひび割れなどの有害な隙間を作り出し、コンクリートの強度、耐久性を阻害する要因になる、という問題を有していた。
【０００５】
この発明は、かかる現状に鑑み創案されたものであって、その目的とするところは、打ち込まれた生コンクリート中の余分な水分を吸収し、かつ、コンクリートピースを埋設した分に相当するコンクリート中の空隙を減少させて密度を高めることで、コンクリート収縮時に発生するひび割れを有効に抑制し、コンクリートの十分な強度や耐久性、水密性等の性能を得ることができるコンクリートピース及びこれを利用したコンクリート施工法を提供しようとするものである。
【０００６】
【課題を解決するための手段】
上記目的を達成するため、この発明にあっては、コンクリートピースを、十分に硬化させ乾燥し、かつ、適宜の形状に成形されたコンクリートまたはセメントで形成したことを特徴とするものである。
【０００７】
この発明に係るコンクリートピースは、本体強度が５００ｋｇｆ／ｃｍ2 以上となし、また、その本体形状も、埋設し易い形状、例えば、楔状または螺子状に形成するのが望ましい。
【０００８】
また、この発明にあっては、上記のように形成されたコンクリートピースを、打ち込まれた生コンクリートの硬化前に所要間隔毎に埋設することを特徴とするものである。
【０００９】
【発明の実施の形態】
以下、添付図面に示す一形態例に基づき、この発明を詳細に説明する。
【００１０】
図１は、この発明の実施の第１形態例に係るコンクリートピースＰ1 を示しており、該コンクリートピースＰ1 は、一般的なコンクリート製品と同様、適量の水とセメント及び骨材（砂、砂利等）等を、乾燥時における本体強度が５００ｋｇｆ／ｃｍ2 以上となる混合比率で混練し、楔状に成形して十分に硬化させ乾燥させて形成されている。
【００１１】
このように構成されたコンクリートピースＰ1 は、比較的水量の多い軟練りの生コンクリートが打設された後、図２に示すように、該コンクリートＣの硬化前であって、ある程度コンクリートＣがこわばったしかし未だ固まってはいない、所謂やや固まった軟状態のときに、所要間隔毎に埋設する。
【００１２】
次に、上記コンクリートピースＰ1 を用いたコンクリート施工法について説明する。
【００１３】
コンクリート運搬車等で運搬されてきた生コンクリートを、例えば、ピストン式コンクリートポンプを用いて所定のコンクリート打ち込み現場へ圧送する。そして型枠工事がされた型枠内に上記生コンクリートを打ち込み、所定のコンクリートの養生を行う。このとき、上記生コンクリートが比較的水量が多い場合には、軽い部分、即ち、水及び打込中に巻き込まれた空気（気泡）等は上昇することになる。
【００１４】
上記コンクリートピースＰ1 の埋設箇所は、例えば、型枠（図示せず）に沿って所定の間隔をおいて決めればよく、この間隔は生コンクリートの軟度にもよるが、例えば、５０ｃｍ間隔おきに行なうのが望ましい。
【００１５】
このようにして、コンクリートＣ中の余分な水及び気泡を含んだ箇所にコンクリートピースＰ1 を埋設すれば、この余分な水は、十分に硬化し乾燥したコンクリートピースＰ1 に吸収されるので、コンクリート品質を向上させることができる。
【００１６】
また、上記コンクリートピースＰ1 が埋設された分に相当するコンクリートＣ中の空隙を減少することができるので、密実な状態を得ることができ、その結果、コンクリートを充分に締め固めることができるため、コンクリートＣの収縮時に発生するひび割れを有効に抑制することができ、密実で強度、耐久性等に優れたコンクリートＣを形成することができる。
【００１７】
さらに、この形態例に係るコンクリートピースＰ1 を利用したコンクリート施工法にあっては、該コンクリートピースＰ1 を所要間隔毎に埋設するだけで上記効果を得ることができるので、特別の技巧・技術が不要であり、誰でも容易に作業することができる。
【００１８】
図３は、この発明の第２形態例に係るコンクリートピースＰ2 を示しており、この形態例に係るコンクリートピースＰ2 は、本体形状を螺子状に形成した他は、他の構成・作用及びその利用法は第１形態例のコンクリートピースＰ1 と同様であるので、その詳細な説明をここでは省略する。
【００１９】
尚、上記コンクリートピースＰ1 またはＰ2 を利用したコンクリート施工法は、水量の多い軟練りの生コンクリートを採用する全ての工事を対象とすることができる。
【００２０】
【発明の効果】
以上説明したように、この発明によれば、打ち込まれた生コンクリート中の余分な水分を吸収し、かつ、コンクリートピースを埋設した分に相当するコンクリート中の空隙を減少させて密度を高めることができるので、コンクリート収縮時に発生するひび割れを有効に抑制し、コンクリートの十分な強度や耐久性、水密性等の性能を得ることができる。
【図面の簡単な説明】
【図１】この発明の実施の第１形態例に係るコンクリートピースの構成を示す斜視図である。
【図２】同コンクリートピースを利用したコンクリート施工法を示す説明図である。
【図３】この発明の実施の第２形態例に係るコンクリートピースの構成を示す斜視図である。
【符号の説明】
Ｐ1 ，Ｐ2   コンクリートピース
Ｃ  コンクリート
【図１】
0003751716.tif 000002
【図２】
0003751716.tif 000003
【図３】
0003751716.tif 000004